(57)【要約】【課題】電線と端子との接続部分に流動状態の防食剤を塗布して防食被膜を形成する際に、防食剤の厚み及び広がり範囲を適切にコントロールできるようにすることを目的とする。【解決手段】端子付電線１０の電線１２と端子２０との接続部分に防食処理を施す方法である。端子付電線の製造方法は、端子付電線の露出芯線部１４ａのうち芯線圧着部２４から露出する露出表面部分Ｑを含む防食対象領域４０Ａの少なくとも一部に流動状態の防食剤を供給する工程と、電線１２と端子２０との接続部分に対してヘラを相対的に移動させることによって、流動状態の防食剤をヘラで均す工程と、押え型によって流動状態の防食剤を押えて、流動状態の防食剤を広げる工程と、流動状態の防食剤を硬化させる工程と、を備える。【選択図】図１
2015153722.tif 000002
【特許請求の範囲】
【請求項１】
電線と端子との接続部分に防食処理が施された端子付電線の製造方法であって、
(a)前記端子の芯線圧着部が前記電線の端部の露出芯線部に圧着されると共に、前記端子の被覆圧着部が前記電線の被覆に圧着されることにより、前記電線と前記端子とが接続されたものを準備する工程と、
(b)前記露出芯線部のうち前記芯線圧着部から露出する露出表面部分を含む防食対象領域の少なくとも一部に流動状態の防食剤を供給する工程と、
(c)前記電線と前記端子との接続部分に対してヘラを相対的に移動させることによって、前記防食対象領域に供給された流動状態の防食剤を前記ヘラで均す工程と、
(d)押え型によって流動状態の防食剤を押えて、流動状態の防食剤を、前記防食対象領域の全体に広げる工程と、
(e)流動状態の防食剤を硬化させる工程と、
を備える端子付電線の製造方法。
【請求項２】
請求項１に記載の端子付電線の製造方法であって、
前記工程(e)は、前記工程(d)において、前記押え型によって流動状態の防食剤を押えた状態で、流動状態の防食剤を、少なくとも前記防食対象領域から流れ落ちない程度に硬化させる工程(e1)を含む、端子付電線の製造方法。
【請求項３】
請求項２記載の端子付電線の製造方法であって、
前記工程(e1)は、前記押え型によって流動状態の防食剤を押えた状態で、前記端子の両側方から、流動状態の防食剤を硬化させるための光を、流動状態の防食剤に照射する工程である、端子付電線の製造方法。
【請求項４】
請求項２又は請求項３に記載の端子付電線の製造方法であって、
前記工程(e)は、前記工程(d)において、押え型によって流動状態の防食剤を押えた状態で、前記端子のコンタクト部と前記芯線圧着部との間に、流動状態の防食剤を硬化させるための光を照射する工程(e2)を含む、端子付電線の製造方法。
【請求項５】
請求項１〜請求項４にいずれか１項に記載の端子付電線の製造方法であって、
前記工程(c)において、前記ヘラを、前記露出芯線部における先端側部分から基端側部分に向けて、相対的に移動させる、端子付電線の製造方法。
【請求項６】
請求項１〜請求項５のいずれか１項に記載の端子付電線の製造方法であって、
前記工程(b)において、流動状態の防食剤を複数箇所に点状に供給する、端子付電線の製造方法。
【発明の詳細な説明】
【技術分野】
【０００１】
この発明は、自動車向けワイヤーハーネス等に用いられる端子付電線であって、特に、電線と端子との接続部分に防食処理を施す技術に関する。
【背景技術】
【０００２】
ワイヤーハーネスの電線の導体としてアルミニウムを使用する際に、電線と電気機器とを接続するための端子の材質として、銅等の、アルミニウム以外のものを使用する場合がある。ここで、アルミニウム導体に、銅等の異種金属が接触し、この部分に塩水等の電解液が付着すると、異種金属接触腐食が発生し得る。これを防止するために、導体と端子との接続部分に電解液が付着しないようにする処理（以下では、「防食処理」と記載する）がなされる。
【０００３】
防食処理に関する技術が、特許文献１に開示されている。
【０００４】
特許文献１は、端子の電線接続部の上下左右を包囲する成形型内で、成形材料を所定形状の成形体に成形して該電線接続部を該成形体によって封止する技術を開示している。
【先行技術文献】
【特許文献】
【０００５】
【特許文献１】特開２０１２−７９６５４号公報
【発明の概要】
【発明が解決しようとする課題】
【０００６】
しかしながら、特許文献１に開示の技術によると、電線接続部が、成形体の厚み分、太くなってしまう。このため、端子を収容するコネクタのキャビティ空間を広くしないと、当該端子をコネクタのキャビティ内に収容できなくなってしまう。このため、新たなコネクタの設計、コネクタ成形用金型が必要となってしまい、ワイヤーハーネスのコストアップ要因となっていた。
【０００７】
ここで、本願発明者によって、端子に流動状態の防食剤を供給し、この防食剤をヘラによって均す技術、或は、防食剤を押え型によって押して広げる技術が提案されている。この技術によると、なるべく少ない量の防食剤を、広い範囲に広げることができるため、電線接続部が太くなることを抑制しつつ、所定の領域に防食被膜を形成することができる。
【０００８】
しかしながら、前者の技術によると、流動状態の防食剤をヘラで均した後、防食剤が硬化するまでの間に、防食剤が電線接続部の表面の傾斜に従って流れ落ちるため、防食被膜の厚みをコントロールすることは難しい。
【０００９】
また、後者の技術によると、流動状態の防食剤は、電線接続部の各箇所に供給された防食剤の量に応じた範囲で押広げられる。このため、防食剤の広がり領域をコントロールすることは難しい。
【００１０】
そこで、本発明は、電線と端子との接続部分に流動状態の防食剤を塗布して防食被膜を形成する際に、防食剤の厚み及び広がり範囲を適切にコントロールできるようにすることを目的とする。
【課題を解決するための手段】
【００１１】
上記課題を解決するため、第１の態様は、電線と端子との接続部分に防食処理が施された端子付電線の製造方法であって、(a)前記端子の芯線圧着部が前記電線の端部の露出芯線部に圧着されると共に、前記端子の被覆圧着部が前記電線の被覆に圧着されることにより、前記電線と前記端子とが接続されたものを準備する工程と、(b)前記露出芯線部のうち前記芯線圧着部から露出する露出表面部分を含む防食対象領域の少なくとも一部に流動状態の防食剤を供給する工程と、(c)前記電線と前記端子との接続部分に対してヘラを相対的に移動させることによって、前記防食対象領域に供給された流動状態の防食剤を前記ヘラで均す工程と、(d)押え型によって流動状態の防食剤を押えて、流動状態の防食剤を、前記防食対象領域の全体に広げる工程と、(e)流動状態の防食剤を硬化させる工程と、を備える。
【００１２】
第２の態様は、第１の態様に係る端子付電線の製造方法であって、前記工程(e)は、前記工程(d)において、前記押え型によって流動状態の防食剤を押えた状態で、流動状態の防食剤を、少なくとも前記防食対象領域から流れ落ちない程度に硬化させる工程(e1)を含む。
【００１３】
第３の態様は、第２の態様に係る端子付電線の製造方法であって、前記工程(e1)は、前記押え型によって流動状態の防食剤を押えた状態で、前記端子の両側方から、流動状態の防食剤を硬化させるための光を、流動状態の防食剤に照射する工程とされている。
【００１４】
第４の態様は、第２又は第３の態様に係る端子付電線の製造方法であって、前記工程(e)は、前記工程(d)において、押え型によって流動状態の防食剤を押えた状態で、前記端子のコンタクト部と前記芯線圧着部との間に、流動状態の防食剤を硬化させるための光を照射する工程(e2)を含む。
【００１５】
第５の態様は、第１〜第４のいずれか１つの態様に係る端子付電線の製造方法であって、前記工程(c)において、前記ヘラを、前記露出芯線部における先端側部分から基端側部分に向けて、相対的に移動させるものである。
【００１６】
第６の態様は、第１〜第５のいずれか１つの態様に係る端子付電線の製造方法であって、前記工程(b)において、流動状態の防食剤を複数箇所に点状に供給するものである。
【発明の効果】
【００１７】
第１の態様に係る端子付電線の製造方法によると、前記電線と前記端子との接続部分に対してヘラを相対的に移動させることによって、前記防食対象領域に供給された流動状態の防食剤を前記ヘラで均すため、防食対象領域に対するヘラの高さ位置を調整することによって、防食剤を所望の高さで均すことができる。これにより、防食対象領域の各箇所における防食剤の量をコントロールすることができる。そして、この後、押え型によって流動状態の防食剤を押えて、流動状態の防食剤を、前記防食対象領域の全体に広げることによって、押広げられる防食剤の広がり範囲を適切にコントロールできる。また、防食剤を押え型によって押えることによって、防食対象領域の全体で、防食剤の厚みを適切にコントロールできる。
【００１８】
第２の態様によると、防食剤を押え型によって押えた状態で、流動状態の防食剤を、少なくとも前記防食対象領域から流れ落ちない程度に硬化させるため、防食対象領域の全体で、防食剤の厚みをより適切にコントロールできる。
【００１９】
第３の態様によると、押え型によって流動状態の防食剤を押えた状態で、前記端子の両側方から、流動状態の防食剤を硬化させるための光を、流動状態の防食剤に照射するため、流動状態の防食剤を、少なくとも前記防食対象領域から流れ落ちない程度に容易に硬化させることができる。
【００２０】
第４の態様によると、流動状態の防食剤がコンタクト部側に流れ込み難くなる。
【００２１】
通常、芯線圧着部よりも被覆圧着部が高くなるため、流動状態の防食剤は芯線圧着部側に流れ落ち易い。また、流動状態の防食剤は、前記露出芯線部における前記先端側部分よりもさらに先端側に流れ落ち易い。そこで、第５の態様のように、前記ヘラを、前記露出芯線部における前記先端側部分から前記基端側部分に向けて、相対的に移動させることにより、端子の先端側に防食剤が流入することを低減でき、防食剤が端子の電気的接続性能に悪影響を与えることを低減できる。また、芯線圧着部のうち被覆圧着部に近い部分で、防食剤が極端に厚くなることを抑制できる。
【００２２】
第６の態様によると、前記工程(b)において、流動状態の防食剤を複数箇所に点状に供給するため、流動状態の防食剤を、必要最低限の量だけ容易に供給することができる。また、点状に供給された流動状態の防食剤は、ヘラによって均され、押え型によって押されて広がるため、露出芯線部のうち芯線圧着部の周囲で露出する部分をより確実に覆うことができる。
【図面の簡単な説明】
【００２３】
【図１】実施形態に係る端子付電線を示す概略側面図である。
【図２】同上の端子付電線を示す概略平面図である。
【図３】端子を示す概略斜視図である。
【図４】端子付電線における防食対象領域の一例を示す説明図である。
【図５】端子付電線に対する防食剤の供給工程を示す説明図である。
【図６】端子付電線に対する防食剤の供給位置の例を示す説明図である。
【図７】防食剤をヘラで均す工程を示す説明図である。
【図８】防食剤押え装置を示す概略斜視図である。
【図９】同上の防食剤押え装置を示す概略側面図である。
【図１０】同上の防食剤押え装置を示す概略側面図である。
【図１１】図１０のＸＩ−ＸＩ線における概略断面図である。
【図１２】図１０のＸＩＩ−ＸＩＩ線における概略断面図である。
【図１３】図１０のＸＩＩＩ−ＸＩＩＩ線における概略断面図である。
【図１４】防食剤硬化工程を示す説明図である。
【図１５】防食剤硬化工程を示す説明図である。
【図１６】防食剤硬化工程を示す説明図である。
【図１７】防食剤硬化工程を示す説明図である。
【図１８】防食剤の供給方法に関する変形例を示す説明図である。
【図１９】防食剤の供給方法に関する他の変形例を示す説明図である。
【図２０】防食剤の供給方法に関する他の変形例を示す説明図である。
【図２１】防食剤の供給方法に関するさらに他の変形例を示す説明図である。
【図２２】防食剤の供給方法に関するさらに他の変形例を示す説明図である。
【図２３】防食剤をヘラで均す工程に関する変形例を示す説明図である。
【図２４】防食剤をヘラで均す工程に関する他の変形例を示す説明図である。
【図２５】防食剤をヘラで均す工程に関するさらに他の変形例を示す説明図である。
【図２６】防食剤を押える工程に関する変形例を示す説明図である。
【図２７】防食被膜の例を示す説明図である。
【図２８】防食剤を押える工程に関する他の変形例を示す説明図である。
【図２９】防食剤を押える工程に関する他の変形例を示す説明図である。
【図３０】防食剤を押える工程に関する他の変形例を示す説明図である。
【図３１】防食剤を押える工程に関する他の変形例を示す説明図である。
【図３２】防食剤を押える工程に関する他の変形例を示す説明図である。
【図３３】防食剤を押える工程に関する他の変形例を示す説明図である。
【図３４】防食被膜の例を示す説明図である。
【図３５】防食剤を押える工程に関するさらに他の変形例を示す説明図である。
【図３６】防食剤を押える工程に関するさらに他の変形例を示す説明図である。
【図３７】防食剤を硬化させる工程に関する変形例を示す説明図である。
【図３８】防食剤を硬化させる工程に関する他の変形例を示す説明図である。
【発明を実施するための形態】
【００２４】
｛実施形態｝
以下、実施形態に係る端子付電線の製造方法について説明する。
【００２５】
＜端子付電線＞
図１は端子付電線１０を示す概略側面図であり、図２は同端子付電線１０を示す概略平面図であり、図３は端子２０を示す概略斜視図である。
【００２６】
この端子付電線１０は、電線１２と、端子２０と、防食被膜４０とを備える。
【００２７】
電線１２は、芯線１４と、芯線１４を覆う被覆１８とを備える。芯線１４は、線状の導体であり、ここでは、複数の素線が撚り合わされることによって芯線１４が形成されている。被覆１８は、樹脂等の絶縁材料によって形成されている。被覆１８は、例えば、芯線１４の周りに軟化した樹脂を押出被覆等することによって形成される。
【００２８】
また、電線１２の端部では、所定長の被覆１８が芯線１４から皮剥されている。これにより、電線１２の端部に、芯線１４が所定長に亘って露出する露出芯線部１４ａが設けられる。
【００２９】
端子２０は、導電性板材である金属板材をプレス加工等することにより形成された部材であり、相手側の電気的接続要素としての相手側端子８０と直接接触するコンタクト部３０とそのコンタクト部３０と繋がる電線保持部２２とを備える。
【００３０】
電線保持部２２は、先端側連結部２３、芯線圧着部２４、中間連結部２５及び被覆圧着部２６を備える。これらの先端側連結部２３、芯線圧着部２４、中間連結部２５及び被覆圧着部２６は、直線方向に沿って一列に並んで形成されている。なお、本実施形態では、本端子２０において、コンタクト部３０側を端子２０の先端側、電線保持部２２側を端子２０の基端側として説明する。
【００３１】
被覆圧着部２６は、かしめられることにより、電線１２の被覆１８の端部に圧着される部分である。被覆圧着部２６は、底板部２６ａと、その底板部２６ａの両側に立設されて対向する一対の被覆圧着片２６ｂ、２６ｂとを備えている。ここでは、一対の被覆圧着片２６ｂのうち本端子２０の先端側の縁部は、各被覆圧着片２６ｂの立設方向先端側に向けて端子２０の基端側に傾斜する形状に形成されている。
【００３２】
中間連結部２５は、被覆圧着部２６と芯線圧着部２４とを繋ぐ部分である。中間連結部２５は、底板部２５ａと、その底板部２５ａの両側に立設されて対向する一対の側壁部２５ｂ、２５ｂとを備える。
【００３３】
芯線圧着部２４は、かしめられることにより、露出芯線部１４ａに圧着される部分である。芯線圧着部２４は、底板部２４ａと、その底板部２４ａの両側に立設されて対向する一対の芯線圧着片２４ｂ、２４ｂとを備える。なお、本実施形態では、一対の芯線圧着片２４ｂ、２４ｂが対向する方向が幅方向であるとして説明する。また、底板部２５ａに対して一対の芯線圧着片２４ｂが立設された方向が高さ方向であるとして説明する。
【００３４】
先端側連結部２３は、芯線圧着部２４とコンタクト部３０とを繋ぐ部分である。先端側連結部２３は、底板部２３ａと、その底板部２３ａの両側に立設されて対向する一対の側壁部２３ｂ、２３ｂとを備える。一対の側壁部２３ｂは芯線圧着部２４からコンタクト部３０に向けて徐々に高さ寸法が高くなるように形成されている。
【００３５】
電線保持部２２における各底板部２３ａ、２４ａ、２５ａ、２６ａは、全体として板状に連なる形状に形成されている。また、電線保持部２２における幅方向の一方の側の各側壁部２３ｂ、芯線圧着片２４ｂ、側壁部２５ｂ、被覆圧着片２６ｂは、全体として板状に連なる形状に形成されている。同様に、電線保持部２２における幅方向の一方の側の各側壁部２３ｂ、芯線圧着片２４ｂ、側壁部２５ｂ、被覆圧着片２６ｂも、全体として板状に連なる形状に形成されている。また、電線１２に対してかしめられる（曲げられる）部分である被覆圧着部２６の被覆圧着片２６ｂ、２６ｂ及び芯線圧着部２４の芯線圧着片２４ｂ、２４ｂは、中間連結部２５及び先端側連結部２３の各々の側壁部２５ｂ、２５ｂ、２３ｂ、２３ｂよりも高さ方向において長く形成されている。
【００３６】
また、コンタクト部３０は、相手側の電気的接続要素としての相手側端子８０と直接接触し、相手側端子８０に接続される部分（端子接続部）である。コンタクト部３０は、相手側端子８０が嵌め入れられる孔である端子挿入孔３２が形成された筒状の部分である。本実施形態では、コンタクト部３０は、角筒状に形成されており、内部に相手側端子８０と接触して弾性変形する接触片３３が設けられている。
【００３７】
ここでは、コンタクト部３０が筒形状の端子形状（いわゆるメス端子形状）に形成された例で説明するが、コンタクト部は、細長棒状又は細長板状の端子形状（いわゆるオス端子形状）を含む形状に形成されていてもよい。
【００３８】
上記端子２０は次のようにして電線１２の端部に接続されている。すなわち、被覆１８の端部が被覆圧着部２６における一対の被覆圧着片２６ｂ、２６ｂの間に位置し、露出芯線部１４ａが芯線圧着部２４における一対の芯線圧着片２４ｂ、２４ｂの間に位置するように配置される。この状態で、被覆圧着部２６の被覆圧着片２６ｂ、２６ｂは、底板部２６ａ上の被覆１８側（内側）へ曲げられる（かしめられる）。さらに、芯線圧着部２４の芯線圧着片２４ｂ、２４ｂは、底板部２４ａ上の露出芯線部１４ａ側（内側）へ曲げられる（かしめられる）。これにより、被覆圧着部２６において、底板部２６ａと２つの被覆圧着片２６ｂ、２６ｂとが被覆１８の端部に圧着された状態でこれを保持し、芯線圧着部２４において、底板部２４ａと２つの芯線圧着片２４ｂ、２４ｂとが露出芯線部１４ａに圧着された状態でこれを保持する。
【００３９】
なお、この接続部分では、露出芯線部１４ａが芯線圧着部２４でその底板部２４ａ側に押え付けられているため、露出芯線部１４ａのうち被覆圧着部２６と芯線圧着部２４との間で底板部２５ａの反対側の部分（上側の部分）は、被覆圧着部２６から芯線圧着部２４側に向けて徐々に底板部２５ａ側に傾斜する形状、換言すれば、高さ寸法が低くなる傾斜形状に形成されている。
【００４０】
ここで、電線１２の芯線１４（素線）と、端子２０とは、異種の金属によって構成されている。例えば、芯線１４は、アルミニウム又はアルミニウムを主成分とするアルミニウム合金によって構成されている。一方、端子２０は、銅若しくは銅を主成分とする銅合金（黄銅等）によって構成された部材、あるいはそれらの部材に錫（Ｓｎ）メッキ若しくは錫に銀（Ａｇ）、銅（Ｃｕ）、ビスマス（Ｂｉ）などが添加された錫合金のメッキが施された部材である。従って、芯線１４と端子２０との接続部分では、異種金属が接触した状態となっており、この部分に塩水等の電解液が付着すると、異種金属接触腐食が発生し得る。
【００４１】
また、端子２０と電線１２との接続部分では、露出芯線部１４ａは次の各部で外部に露出している。すなわち、芯線圧着部２４と被覆圧着部２６との間で、露出芯線部１４ａの基端側部分Ｑ１が露出している。また、芯線圧着部２４とコンタクト部３０との間で、露出芯線部１４ａの先端側部分Ｑ３が露出している。さらに、芯線圧着部２４の一対の芯線圧着片２４ｂが露出芯線部１４ａにかしめられた状態で、一対の芯線圧着片２４ｂ、２４ｂの先端部間に隙間が生じ得るため、この一対の芯線圧着片２４ｂ、２４ｂの間で露出芯線部１４ａの中間部分Ｑ２が露出し得る。すなわち、上記部分Ｑ１、Ｑ２、Ｑ３の表面が、露出芯線部１４ａのうち芯線圧着部２４から露出する露出表面部分Ｑである。
【００４２】
そこで、防食処理前の端子付電線１０のうち上記露出表面部分Ｑを含む領域を防食対象領域４０Ａとし、この防食対象領域４０Ａに防食被膜４０を形成している。本実施形態では、防食対象領域４０Ａは、上記露出表面部分Ｑと、端子２０のうち露出表面部分Ｑを囲む周縁部分とからなる領域として想定されている。端子２０のうち露出表面部分Ｑを囲む部分は、具体的には、先端側連結部２３のうち先端側部分Ｑ３の両側及び先端側部分と、芯線圧着部２４のうち中間部分Ｑ２の両側部分と、中間連結部２５及び被覆圧着部２６のうち基端側部分Ｑ１を囲む部分である。
【００４３】
ここでは、流動状態の防食剤を上記防食対象領域４０Ａの少なくとも一部に供給する。そして、後述する押え型によって、流動状態の防食剤を、防食対象領域４０Ａの全体に広げ、その流動状態の防食剤を、硬化させて防食被膜４０を形成する。すると、それらの各部分Ｑ１、Ｑ２、Ｑ３を含む露出表面部分Ｑ及びその周縁部が防食被膜４０で被覆されるため、端子２０と電線１２との接続部分に電解液が付着したとしても、当該電解液は、露出芯線部１４ａには接しない。このため、異種金属に対して電解液が付着した状態となることが抑制され、もって、異種金属接触腐食が抑制される。なお、ここでは、防食被膜４０は、透明又は半透明であるが、これは必須ではない。
【００４４】
もっとも、必要とされる防食性能を満たしつつ、電線と端子との接続部分の大型化の抑制するためには、流動状態の防食剤を上記防食対象領域４０Ａの少なくとも一部に供給することによって、防食に適した量の防食剤を供給し、その防食剤を広げて防食被膜４０を形成することが好ましい。流動状態の防食剤を広げる際には、その膜厚及び広がり範囲を適切にコントロールすることが好ましい。
【００４５】
そこで、ここでは、流動状態の防食剤を、上記部分Ｑ１、Ｑ２及びＱ３の少なくとも１箇所に供給することによって、防食するのに適切な厚みで、防食するのに適切な範囲に広げることが可能な範囲で、なるべく少ない量の防食剤を供給するようにしている。また、流動状態の防食剤を供給した後、部分Ｑ１、Ｑ２及びＱ３表面上で、流動状態の防食剤をヘラで均すことによって、流動状態の防食剤が防食対象領域４０Ａ上で適切な量分布するようにしている。そして、この後、押え型によって防食剤を押えることで、防食剤をなるべく広範囲に広げると共に、その防食剤の厚み寸法の上限を規制している。
【００４６】
なお、防食剤は、本来想定された防食対象領域４０Ａからさらに広がっていてもよい。もっとも、防食剤が電線保持部２２の表面上に広がる領域はなるべく小さいことが好ましい。
【００４７】
＜端子付電線の製造方法の全体に関する説明＞
電線１２と端子２０との接続部分に防食処理が施された上記端子付電線１０の製造方法の全体について説明する。
【００４８】
端子付電線１０の製造方法は、防食処理が施される前の端子付電線１０Ｂ（図４参照）を準備する工程(a)と、流動状態の防食剤を供給する工程(b)と、ヘラによって流動状態の防食剤を均す工程(c)と、押え型によって流動状態の防食剤を押えて広げる工程(d)と、流動状態の防食剤を硬化させる工程(e)とを備える。
【００４９】
工程(a)における、防食処理が施される前の端子付電線１０Ｂは、図４に示すように、端子２０の芯線圧着部２４が電線１２の露出芯線部１４ａに圧着されると共に、端子２０の被覆圧着部２６が電線１２の被覆１８に圧着されることにより、電線１２と端子２０とが接続された構成とされている。
【００５０】
工程(b)では、露出芯線部１４ａのうち芯線圧着部２４から露出する露出表面部分Ｑを含む防食対象領域４０Ａの少なくとも一部に流動状態の防食剤を供給する。流動状態の防食剤は、点状に供給されてもよいし、線状に供給されてもよいし、ある程度の広がりの面状領域に供給されてもよい。工程(b)については、後にさらに詳細に説明する。
【００５１】
工程(c)では、電線１２と端子２０との接続部分に対してヘラを相対的に移動させることによって、防食対象領域４０Ａに供給された流動状態の防食剤をヘラで均す。この工程(c)についても、後でさらに詳細に説明する。
【００５２】
工程(d)では、押え型によって流動状態の防食剤を押えて、流動状態の防食剤を、防食対象領域４０Ａの全体に広げる。この工程(d)についても、後にさらに詳細に説明する。
【００５３】
工程(e)では、流動状態の防食剤を硬化させる。これにより、上記防食被膜４０が形成された端子付電線１０を製造することができる。
【００５４】
なお、硬化処理としては、防食剤の性質に応じた内容が実施される。例えば、防食剤として、紫外線等の光によって硬化する性質のものを用いた場合には、流動状態の防食剤に対して硬化用の光を照射させる処理が実施される。防食剤として、熱によって硬化する性質のものを用いた場合には、流動状態の防食剤を加熱する処理が実施される。
【００５５】
また、後の説明では、工程(d)を実施する途中で、本工程(e)が実施される。工程(e)は、工程(d)にて実施される部分的な工程と、工程(d)の後に実施される部分的な工程とを含んでいてもよい。
【００５６】
本工程(e)についても、後にさらに詳細に説明する。
【００５７】
以下、上記工程(b)〜工程(e)についてより具体的に説明する。
【００５８】
＜防食剤供給工程(b)＞
防食剤供給工程(b)では、流動状態の防食剤を、防食対象領域４０Ａの少なくとも一部に供給する。ここでは、流動状態の防食剤を、防食対象領域４０Ａの表面の複数箇所に点状に供給する。
【００５９】
流動状態の防食剤の供給は、例えば、図５に示すように、流動状態の防食剤を点状に供給可能な装置を用いて行われる。かかる装置としては、ディスペンサ９０を用いることが好ましい。ディスペンサ９０は、液体収容部９２に向けて気体をパルス状に送込むことによって、液体収容部９２内に収容された液体をニードル９４の先端部からパルス状に吐出させる装置である。パルス状に送込まれる気体の圧力及び加圧時間を制御することによって、防食剤を供給する各点状箇所における、防食剤の供給速度及び供給時間を制御し、もって、防食剤の供給量を制御することができる。
【００６０】
流動状態の防食剤を供給する工程は、露出芯線部１４ａのうち芯線圧着部２４に対して被覆圧着部２６側に露出する基端側部分Ｑ１若しくはその周縁部に流動状態の防食剤を供給する工程(b1)と、芯線圧着部２４の一対の芯線圧着片２４ｂ間の部分Ｑ２若しくはその周縁部に流動状態の防食剤を供給する工程(b2)と、露出芯線部１４ａのうち芯線圧着部２４に対して被覆圧着部２６とは反対側に露出する先端側部分Ｑ３若しくはその周縁部に流動状態の防食剤を供給する工程(b3)とを含む。ここでは、上記工程(b1、(b2)、(b3)の全てにおいて、流動状態の防食剤が点状に供給されている。
【００６１】
各箇所での塗布量及び全ての塗布量は、後に押え型２１０によって流動状態の防食剤を押えた際に、その防食剤が側方にはみ出ない程度の量に設定されている。上記ディスペンサ９０を用いることで、防食剤の供給量を適切な量とするように容易に調整できる。
【００６２】
図６は電線１２と端子２０との接続部分に対して流動状態の防食剤を点状に供給する際において、防食剤の供給点の一例を示す図である。
【００６３】
同図では、被覆圧着部２６の一対の被覆圧着片２６ｂの先端部の間の点Ｐ１で、流動状態の防食剤が点状に供給される。なお、図６に示す点Ｐ１〜Ｐ６は、点状に供給された流動状態の防食剤が、その供給中に広がると想定される領域を示しており、実際には、点Ｐ１〜Ｐ６として示される円の中心に対して流動状態の防食剤が供給される。なお、後で説明するように、防食剤Ｌは押え型２１０によって押されて広がるため、その供給箇所を少なくすることができる。
【００６４】
また、露出芯線部１４ａの基端側部分Ｑ１及びその周縁部を含む領域に対して、その両側の各位置のＰ２及びＰ３に点状に供給する（工程(b1)）。なお、Ｐ２及びＰ３は、防食対象領域４０Ａにおける両側の位置でもある。なお、防食対象領域４０Ａにおける両側の位置Ｐ２、Ｐ３に流動状態の防食剤が供給された場合であっても、後述するように、その防食剤は押え型によって押広げられるため、その間の基端側部分Ｑ１全体を覆うことができる。
【００６５】
また、芯線圧着部２４の一対の芯線圧着片２４ｂ間の部分Ｑ２に対して、その延在方向中間の点Ｐ４で、流動状態の防食剤が点状に供給される（工程(b2）)。
【００６６】
また、露出芯線部１４ａの先端側部分Ｑ３及びその周縁部を含む領域に対して、その両側の各位置のＰ５及びＰ６に流動状態の防食剤を点状に供給する（工程(b3)）。なお、Ｐ５及びＰ６は、防食対象領域４０Ａにおける両側の位置でもある。なお、防食対象領域４０Ａにおける両側の位置Ｐ５、Ｐ６に流動状態の防食剤が供給された場合であっても、後述するように、その防食剤は押え型によって押広げられるため、その間の先端側部分Ｑ３全体を覆うことができる。
【００６７】
なお、上記ニードル９４は、３軸方向の移動機構装置９８等によって、電線保持部２２の延在方向、幅方向及び高さ方向に移動駆動可能に支持され、上記各点Ｐ１〜Ｐ６に応じた所定の位置データに従って、供給位置を制御されつつ移動駆動されることが好ましい。もっとも、ニードル９４の移動は、作業者による人手によって行われてもよい。また、ニードル９４は、端子２０に対して相対的に移動すればよく、従って、端子２０を移動させてもよい。
【００６８】
点状に供給された流動状態の防食剤は、自己の粘度、露出芯線部１４ａに対する防食剤の濡れ性等に応じて、露出芯線部１４ａの表面上にも広がってもよいし、ある程度の時間、粒状態のまま留まってもよい。流動状態の防食剤は、後の工程で、押え型２１０によって押広げられるため、この段階で、それぞれの供給点Ｐ１〜Ｐ６において供給された流動状態の防食剤が連続する１つの被膜を形成するように防食対象領域４０Ａ全体に広がる必要はない。
【００６９】
なお、流動状態の防食剤の広がりの程度は、自己の粘度、露出芯線部１４ａに対する防食剤の濡れ性等によって左右される。いずれにせよ、それぞれの供給点Ｐ１〜Ｐ６において供給された防食剤が、少なくとも押え型２１０によって押広げられた状態で、防食対象領域４０Ａの表面全体に広がって繋がり、全体として１つの連続する被膜を形成するように、各供給点における防食剤の供給量、各供給点間の距離が、実験的、経験的手法等によって、適宜調整、設定される。
【００７０】
なお、工程(b)において、各部分Ｑ１、Ｑ２、Ｑ３に点状に供給された防食剤は、時間経過により広がり続ける恐れがある。特に、露出芯線部１４ａの先端側部分Ｑ３に供給された流動状態の防食剤が広がり続けると、コンタクト部３０側に達する恐れがあり、コンタクト部３０の接続性能等に何らかの影響を与える可能性がある。一方、露出芯線部１４ａの基端側部分Ｑ１に供給された流動状態の防食剤が周囲に広がったとしても、コンタクト部３０の接続性能等に何らかの影響を与え難い。そこで、上記工程(b1)、(b2)、(b3)をこの順で実施した後に（図６の矢符６２参照）、流動状態の防食剤を硬化させる工程を実施することが考えられる。これによって、露出芯線部１４ａの先端側部分Ｑ３に供給された流動状態の防食剤が、硬化前において周囲に広がる時間を短くでき、防食剤がコンタクト部３０に達し難くなる。従って、コンタクト部３０の接続性能の信頼性を向上させることができる。
【００７１】
＜防食剤均し工程(c)＞
図７は、防食剤均し工程(c)を示す説明図である。図７に示すように、端子付電線１０に対して流動状態の防食剤Ｌが供給されると、流動状態の防食剤をヘラ５１で均す工程（工程(c)）が実行される。この工程(c)では、平板状のヘラ５１を電線１２と端子２０との接続部分に対して相対的に移動させる。ヘラ５１は、端子付電線１０のうち、少なくとも防食剤Ｌが供給された位置、すなわち、防食対象領域４０Ａまでを相対的に移動させる。
【００７２】
ここで、ヘラ５１の移動は、電線１２と端子２０との接続部分に対して相対的な移動であればよく、従って、固定された位置にある端子付電線１０に対してヘラ５１を移動させても、固定された位置にあるヘラ５１に対して、端子付電線１０を移動させても、端子付電線１０及びヘラ５１の両方を移動させてもよい。以下の説明では、固定された位置にある端子付電線１０に対して、ヘラ５１を移動させるものとして説明する。
【００７３】
防食剤Ｌを移動させる際の、ヘラ５１の下端の高さは、防食対象領域４０Ａにおいて、端子２０の延在方向における防食剤の分布量に影響し、その分布量は、防食対象領域４０Ａにおける防食剤の幅方向の広がりに影響を与える。このため、ヘラ５１の移動中、ヘラ５１の下端が、好ましくは、端子付電線１０に形成されるべき防食被膜４０の幅方向の広がりの許容範囲に応じた高さに維持される。
【００７４】
もっとも、流動状態の防食剤Ｌは、次工程において押え型２１０によって押えられ、防食対象領域４０Ａと押え型２１０との隙間は必ずしも同じには設定されない。このため、端子２０の延在方向におけるヘラ５１の下端の高さは、防食剤Ｌを押え型２１０によって押えることによって形成される膜厚を考慮した上で、端子２０の延在方向における各位置で、防食剤Ｌを所望の幅方向範囲内に広げることが可能な範囲で、適宜設定される。
【００７５】
ヘラ５１の移動の一例として、図７中、矢符６１に示すように、先端側部分Ｑ３から部分Ｑ２までは、端子付電線１０の延在方向に沿って同じ高さで移動させる。そして、基端側部分Ｑ１においては、露出芯線部１４ａの傾斜に応じて、ヘラ５１を斜め上方へ移動させることが考えられる。
【００７６】
なお、ヘラ５１の移動方向は、露出芯線部１４ａにおける先端側部分Ｑ３から基端側部分Ｑ１に向けて移動しても、その逆に、基端側部分Ｑ１から先端側部分Ｑ３に向けて移動するものであってもよい。
【００７７】
もっとも、流動状態の防食剤Ｌは、露出芯線部１４ａの先端側部分Ｑ３よりも端子２０の先端側に流れ落ちる可能性がある。また、流動状態の防食剤Ｌは、基端側部分Ｑ１の傾斜に従って、被覆圧着部２６から芯線圧着部２４側に流れ落ちる可能性がある。そこで、ヘラ５１を、露出芯線部１４ａにおける先端側部分Ｑ３から基端側部分Ｑ１に向けて移動させることが好ましい。これにより、上記各部で流れ落ちる防食剤Ｌを元の位置に戻すように、流動状態の防食剤Ｌを均すことができる。
【００７８】
また、流動状態の防食剤Ｌは、基端側部分Ｑ１よりも端子２０の基端側へ広がることが起こる可能性がある。このため、先端側部分Ｑ３から基端側部分Ｑ１までの範囲よりも広い範囲において、ヘラ５１を移動させてもよい。具体的に、図７に示す例では、ヘラ５１を基端側部分Ｑ１よりも端子２０の基端側の被覆圧着部２６に到る位置まで移動させている。これによって、被覆圧着部２６の防食剤Ｌを均すことが可能となるとともに、この部分にも防食被膜４０を形成させることが可能となる。
【００７９】
なお、ここでは、端子付電線１０に対して流動状態の防食剤を点状に供給する工程(b)を経た後に、ヘラ５１で均す工程(c)が行われている。しかしながら、工程(b)において、必ずしも流動状態の防食剤を点状に供給する必要はない。例えば、１つの供給点にのみに、流動状態の防食剤が供給されるようにしてもよい。この場合、防食剤が必要以上に高く盛られた状態となりうる。しかしながら、工程(c)において、ヘラ５１で均されることによって、なるべく少ない量の防食剤を適量供給しつつ、部分的に過剰に盛られた部分を抑制することができる。このため、端子付電線１０における防食被膜４０の膜厚をなるべく薄くしつつ部分的に許容上限値を超えることを抑制することができる。
【００８０】
＜防食剤押え工程(d)＞
防食剤押え工程(d)では、工程(c)において防食剤Ｌをヘラ５１で均した後、押え型２１０によって流動状態の防食剤Ｌを押えて、流動状態の防食剤Ｌを、防食対象領域４０Ａの全体に広げる。
【００８１】
図８は防食剤押え装置２００を示す概略斜視図であり、図９及び図１０は同防食剤押え装置２００を示す概略側面図である。図９は防食剤Ｌを押える前の状態を示しており、図１０は防食剤Ｌを押えた状態を示している。図１１は図１０のＸＩ−ＸＩ線における概略断面図であり、図１２は図１０のＸＩＩ−ＸＩＩ線における概略断面図であり、図１３は図１０のＸＩＩＩ−ＸＩＩＩ線における概略断面図である。
【００８２】
防食剤押え装置２００は、押え型２１０と端子セット部２２０とを備える。
【００８３】
端子セット部２２０は、流動状態の防食剤Ｌが供給された端子付電線１０Ｂを載置状に支持可能に構成されている。
【００８４】
より具体的には、端子セット部２２０は、金属又は樹脂等で形成された部材であり、端子セット面２２２と、端子位置決め凸部２２４とを備える。端子セット面２２２は、端子２０の幅と同じかこれよりも大きい幅寸法で、かつ、端子２０の長さ寸法と同じかこれよりも大きい平面に形成されている。そして、端子２０を端子セット面２２２上で載置状に支持することで、当該端子２０を端子セット面２２２に対して垂直な上下方向において一定位置で支持できるようになっている。
【００８５】
なお、流動状態の防食剤Ｌの供給工程及び防食剤Ｌをヘラ５１で均す工程も、端子２０を本端子セット部２２０上に載置した状態で行われてもよい。
【００８６】
端子位置決め凸部２２４は、端子セット面２２２の前側部分（図７〜図９の左側部分）から上方に突出するように形成されている。端子位置決め凸部２２４のうち端子セット面２２２側を向く面２２４ｆは、端子セット面２２２に対して垂直状態で立上がっている。そして、端子セット面２２２上に載置された端子２０の先端部が端子位置決め凸部２２４の面２２４ｆに押し当てられる。これにより、端子２０がその延在方向において一定位置に支持される。
【００８７】
なお、端子付電線１０Ｂのうち電線１２側の部分は、電線保持部（図示省略）によって保持されており、端子２０はその幅方向にも一定位置に支持される。端子位置決め凸部２２４に端子２０の先端部を嵌め込んでその幅方向一定位置に支持可能な凹部が形成されていてもよい。
【００８８】
押え型２１０は、端子付電線１０Ｂ上の流動状態の防食剤Ｌを押えることができるように構成されている。
【００８９】
ここでは、押え型２１０は、金属又は樹脂等で形成された部材であり、その下側の表面に押え面２１２が形成されている。押え面２１２は、端子付電線１０Ｂのうち電線１２と端子２０との接続部分を側面視した状態で、その接続部分の上側に対して間隔をあけて配設可能な形状に形成されている。より具体的には、押え面２１２は、端子セット部２２０上に支持された端子２０の被覆圧着部２６の上側に位置する被覆側押え面２１３と、端子２０の芯線圧着部２４の上側に位置する芯線側押え面２１４と、これらの中間に位置する中間押え面２１５とを備える。なお、押え面２１２の幅寸法は、端子２０のうち押える対象となる各部分の幅寸法と同じであるか、防食剤Ｌを押えることが可能な範囲で端子２０のうち押える対象となる各部分の幅寸法よりも小さく設定されていることが好ましい。
【００９０】
芯線側押え面２１４は、被覆側押え面２１３に対して、芯線圧着部２４と被覆圧着部２６との高さ寸法の差と同程度の寸法で下側に位置している。中間押え面２１５は、被覆圧着部２６から芯線圧着部２４に向けて下向き傾斜するように形成されている。
【００９１】
なお、ここでは、芯線側押え面２１４の前側縁部は、端子２０のうち芯線圧着部２４とコンタクト部３０との間であって露出芯線部１４ａよりも先端側の部分にも延在していることが好ましい。これにより、露出芯線部１４ａの先端側でも、流動状態の防食剤Ｌを押えることができる。
【００９２】
上記押え面２１２は、なるべく円滑な面に形成されていることが好ましい。押え面２１２には、硬化前或は硬化後において、防食剤の剥離を容易にする処理が施されていることが好ましい。例えば、押え面２１２にフッ素コーティング加工が施されているとよい。
【００９３】
なお、押え型２１０は、エアシリンダ、油圧シリンダ、リニアモーター等のアクチュエータによって、端子セット部２２０に対して上方に離れた位置と、端子セット部２２０に近づいて防食剤Ｌを押えることが可能な位置との間で、往復移動可能に支持されていることが好ましい。
【００９４】
本防食剤押え装置２００を用いて、流動状態の防食剤Ｌを押える工程について説明する。
【００９５】
まず、押え型２１０を端子セット部２２０の上方に離れた位置に配設した状態で、流動状態の防食剤Ｌが供給され、かつ、流動状態の防食剤Ｌがヘラ５１で均された端子付電線１０Ｂの端子２０を、端子セット部２２０上の一定位置に位置決め支持する（図８及び図９参照）。
【００９６】
そして、押え型２１０を下降させて、押え面２１２によって、端子付電線１０Ｂの接続部分上に供給された流動状態の防食剤Ｌを押える。すなわち、押え面２１２が接続部分に対して所定の隙間をあけて対向する位置まで、押え型２１０を下降させる（図１０参照）。なお、押え型２１０の移動は、端子２０に対する相対的な移動であればよく、従って、端子セット部２２０側が移動してもよい。
【００９７】
すると、端子付電線１０Ｂの接続部分上の防食剤Ｌが押されて、防食対象領域４０Ａの全体に広がるようになる。また、防食剤Ｌの厚みは、押え面２１２によって規定される範囲内に収るため、当該防食剤Ｌは接続部分から大きく外方に突出することが抑制される。
【００９８】
また、端子２０の延在方向において、防食剤Ｌはヘラ５１によって均されている。このため、例えば、防食対象領域４０Ａのうち防食剤Ｌの供給位置Ｐ１〜Ｐ６が設定された箇所を中心として、部分的に防食剤Ｌの分布量が多いこと等が要因で、部分的に防食剤Ｌが幅方向に大きく広がることが抑制される。また、例えば、防食剤Ｌが露出芯線部１４ａの基端側部分Ｑ１の傾斜に従って流れ落ちて芯線圧着部２４で防食剤Ｌの分布量が多くなること等が要因で、部分的に防食剤Ｌが幅方向に大きく広がることも抑制される。
【００９９】
このように、点Ｐ１〜点Ｐ６に点状に供給された防食剤Ｌが、ヘラ５１で均された後、押えられてその周囲に広がって、相互に繋がって１つの被膜を形成し、防食対象領域４０Ａの全体に広がる。
【０１００】
この際、芯線側押え面２１４の前側縁部は、露出芯線部１４ａよりも先端側の部分にも延在しているため、露出芯線部１４ａの先端側でも、芯線側押え面２１４よって流動状態の防食剤Ｌを押えることができる。すなわち、先端側連結部２３のうち露出芯線部１４ａよりも先端側の部分では、一対の側壁部２３ｂが立上がっているため、側壁部２３ｂの先端側の角部が防食剤Ｌによる被膜を突破るようにして上方に露出してしまう恐れがある。そこで、芯線側押え面２１４の前側縁部を、露出芯線部１４ａよりも先端側の部分にも延在させると、芯線側押え面２１４に対する防食剤Ｌの濡れ性に応じて、防食剤Ｌが芯線側押え面２１４に付着する（図１３参照）。この芯線側押え面２１４は、一対の側壁部２３ｂの先端側部分よりも間隔をあけた上方位置に配設されているため、当該芯線側押え面２１４に付着した防食剤Ｌは、露出芯線部１４ａの先端側で、一対の側壁部２３ｂの先端側部分を覆うことができる。これにより、露出芯線部１４ａの露出表面部分Ｑの周縁部でより確実に一定の膜厚を確保できる。また、この部分で、防食被膜４０の表面が円滑となり、若干鏡面状を呈するため、その部分を良好に形成することができたか等の製品検査、画像検査が容易となる。
【０１０１】
なお、防食剤Ｌを押え面２１２で押えた状態では、防食剤Ｌは押え面２１２に対する濡れ性に応じて当該押え面２１２に接触した状態が維持される。このため、防食剤Ｌは、防食対象領域４０Ａと押え面２１２との間に安定した状態で存在し、ヘラ５１で均した後のように、流動状態の防食剤Ｌが他の場所に流動し難い。
【０１０２】
＜防食剤硬化工程(e)＞
端子付電線１０Ｂの接続部分に供給された流動状態の防食剤Ｌを硬化させる工程について説明する。ここでは、防食剤Ｌが光（例えば、紫外線光）によって硬化する性質のものであるという例で説明する。
【０１０３】
本工程(e)は、図１４〜図１６に示すように、押え型２１０によって流動状態の防食剤Ｌを押えた状態で、流動状態の防食剤Ｌを、少なくとも防食対象領域４０Ａから流れ落ちない程度に硬化させる工程(e1)を含む。ここでは、工程(d1)は、押え型２１０によって流動状態の防食剤Ｌを押えた状態で、端子２０の両側方から光を流動状態の防食剤Ｌに照射させる工程である。
【０１０４】
すなわち、押え型２１０の押え面２１２は、幅方向に平坦であるため、押え型２１０によって流動状態の防食剤Ｌを押えた状態では、端子付電線１０Ｂの接続部分の上部と押え面２１２との間に介在する流動状態の防食剤Ｌがその間の側方部分に露出している。防食剤Ｌ自体は、透明又は半透明であり、光は当該防食剤Ｌを透過することができる。
【０１０５】
そこで、端子セット部２２０上の端子２０の両側方から、光照射部３００からの光を端子２０に向けて照射すると、当該光は、流動状態の防食剤Ｌの両側部からその幅方向中央に進入する。これにより、端子付電線１０Ｂの接続部分上の防食剤Ｌが光硬化する。なお、光は防食剤Ｌ内である程度乱拡散されるので、これにより、硬化範囲はある程度広がる。
【０１０６】
なお、芯線圧着部２４では、芯線圧着片２４ｂの先端部が内方に向うように曲げられているため、芯線圧着部２４の両側方から光を照射すると、一対の芯線圧着片２４ｂの先端部の凹む部分には光は照射され難い。このため、防食剤Ｌのうち一対の芯線圧着片２４ｂの先端部の凹む部分にある部分Ｌａには、光は照射されず、当該部分Ｌａは硬化し難い（図１５参照）。
【０１０７】
しかしながら、防食剤Ｌのうち部分Ｌａ上にある部分Ｌｂには、光が照射されるため、硬化する。この部分Ｌｂは、一対の芯線圧着片２４ｂのうち両側方から見て観察可能な外周部分に密着した状態で硬化するため、前記部分Ｌａを封止した状態で硬化する。なお、この段階で、防食剤Ｌは完全に硬化する必要はなく、防食剤Ｌの流出を抑制できる程度に硬化すればよい。
【０１０８】
そこで、上記工程(e1)を実施した後、押え型２１０を上方に移動させ、防食剤Ｌの上方を開放させた状態で、その上方の光照射部３１０からの光を防食剤Ｌに照射させる（図１６参照）。すると、部分Ｌａにも光が照射されるので、硬化する。これにより、防食剤Ｌの全体を硬化させることができる。
【０１０９】
本工程(e)は、図１７に示すように、押え型２１０によって流動状態の防食剤Ｌを押えた状態で、端子２０のコンタクト部３０と芯線圧着部２４との間、即ち、先端側連結部２３に光を照射させる工程(e2)を含んでいてもよい。
【０１１０】
すなわち、工程(e2)では、押え型２１０の前側（コンタクト部３０側、図１７では左側）の光照射部３２０から先端側連結部２３内に向けて光が照射される。この光は、先端側連結部２３の底板部２３ａと一対の側壁部２３ｂとの間に向けて照射される（図３参照）。従って、流動状態の防食剤Ｌが、先端側連結部２３の底板部２３ａと一対の側壁部２３ｂとで囲まれる空間内でコンタクト部３０側に流れ出ようとして、押え面２１２からコンタクト部３０側に流出すると、その段階で、硬化する。これにより、防食剤Ｌがコンタクト部３０側に流出することを抑制でき、コンタクト部３０への防食剤Ｌの付着を有効に抑制できる。
【０１１１】
なお、本工程(e2)は、押え型２１０が流動状態の防食剤Ｌを押えることを開始する時点で実施されることが好ましい。
【０１１２】
そのためには、光照射部３２０からの光は、押え面２１２の前側面よりも前方（コンタクト部３０側）のみに照射されるように、光の進路が制限されていることが好ましい。
【０１１３】
もっとも、本工程(e2)は、押え型２１０が流動状態の防食剤Ｌを押えることを開始する時点で実施されることは必須ではない。
【０１１４】
なお、防食剤Ｌの硬化工程は、上記例に限られない。防食剤Ｌが空気の湿気等で硬化する性質のものである場合には、そのまま放置しておいてもよい。また、防食剤Ｌが熱で硬化する性質のものである場合には、当該防食剤Ｌを加熱するようにしてもよい。この場合の一例については後でも説明する。
【０１１５】
＜効果等＞
以上のように構成された端子付電線１０の製造方法によると、電線１２と端子２０との接続部分に対してヘラ５１を相対的に移動させることによって、防食対象領域４０Ａに供給された流動状態の防食剤Ｌをヘラ５１で均すため、防食対象領域４０Ａに対するヘラの高さ位置を調整することによって、防食剤Ｌを所望の高さ位置で均すことができる。これにより、防食対象領域４０Ａの各箇所における防食剤Ｌの量をコントロールすることができる。例えば、点状に供給された防食剤Ｌがより全体に広がるように均すことができる。また、例えば、防食対象領域４０Ａの傾斜に応じて流れ落ちた防食剤Ｌを元の位置に戻すように均すこともできる。
【０１１６】
そして、このように防食剤Ｌを均した後、押え型２１０によって流動状態の防食剤Ｌを押えて、流動状態の防食剤Ｌを、防食対象領域４０Ａの全体に広げることによって、押広げられる防食剤の幅方向の広がりを適切にコントロールすることができる。また、防食剤Ｌを押え型２１０によって押えることによって、防食対象領域４０Ａの全体で、防食剤Ｌの厚みを適切にコントロールすることもできる。
【０１１７】
これにより、大型化を抑制しつつ、適切な厚み及び広がりの防食被膜４０をより確実に形成することが可能となり、例えば、防食処理を施さない端子付電線を想定して設計された従来タイプのコネクタのキャビティにも、端子を収容することが可能となり、ワイヤーハーネスのコストアップを抑制することができる。
【０１１８】
また、工程(b)では、流動状態の防食剤Ｌを点状に供給するため、防食対象領域４０Ａに所定の厚みの防食被膜４０を形成するため、流動状態の防食剤Ｌを必要最低限の量だけ容易に供給することができる。また、点状に供給された流動状態の防食剤Ｌは、ヘラ５１によって均された後、押え型２１０によって押されて広がるため、露出芯線部１４ａの露出表面部分Ｑをより確実に覆うことができる。
【０１１９】
また、押え面２１２の芯線側押え面２１４の先端部が、端子２０のうち芯線圧着部２４とコンタクト部３０との間であって露出芯線部１４ａよりも先端側の部分で、流動状態の防食剤Ｌを押えるため、露出芯線部１４ａの先端部の周縁部でも防食被膜４０の厚みをある程度確保することができ、より確実な防食性能を得ることができる。
【０１２０】
また、押え型２１０によって流動状態の防食剤Ｌを押えた状態で、流動状態の防食剤Ｌを、少なくとも防食対象領域４０Ａから流れ落ちない程度に硬化させるため、防食剤Ｌが周囲に流出し難くなり、防食対象領域４０Ａの全体で、防食被膜４０の厚みをより適切にコントロールできる。
【０１２１】
特に、押え型２１０によって流動状態の防食剤Ｌを押えた状態で、端子２０の両側方から、流動状態の防食剤Ｌを硬化させるための光を、流動状態の防食剤Ｌに照射するため、流動状態の防食剤Ｌを、少なくとも防食対象領域４０Ａから流れ落ちない程度に容易に硬化させることができる。
【０１２２】
また、押え型２１０によって流動状態の防食剤Ｌを押えた状態で、端子２０のコンタクト部３０と芯線圧着部２４との間に、硬化用の光を照射するため、流動状態の防食剤Ｌがコンタクト部３０側に流れ込み難くなる。これにより、コンタクト部３０の電気的接続信頼性を向上させることができる。
【０１２３】
また、ヘラ５１を、露出芯線部１４ａにおける先端側部分Ｑ３から基端側部分Ｑ１に向けて相対移動させることにより、端子２０の先端側（コンタクト部３０側）に防食剤Ｌが流入することを低減でき、防食剤Ｌが端子２０の電気的接続性能に悪影響を与えることを低減できる。また、被覆圧着部２６から芯線圧着部２４に向けて流れ落ちた防食剤Ｌを被覆圧着部２６側に戻すように均すことができ、芯線圧着部２４のうち被覆圧着部２６に近い部分で、防食剤Ｌが極端に厚くなり、押え型２１０によって押えた状態で、防食剤Ｌが大きく幅方向に広がることを抑制できる。
【０１２４】
｛変形例｝
上記実施形態を前提として、各種変形例について説明する。
【０１２５】
＜工程(b)に関する変形例＞
まず、流動状態の防食剤Ｌを供給するための変形例について説明する。
【０１２６】
図１８は微量の防食剤Ｌを点状に供給するための変形例を示す説明図である。図１８において、符号１１０で示す部分は供給対象部分の表面を示しており、符号１２０で示す部分は、流動状態の防食剤Ｌを吐出する防食剤吐出用ニードルを示している。また、図１８では、左右方向に複数の防食剤吐出用ニードル１２０が示されており、左側から右側に向けて、供給対象部分の表面１１０に対する防食剤吐出用ニードル１２０の位置及び防食剤の吐出状態の変化を、経時順で示している。
【０１２７】
すなわち、防食剤吐出用ニードル１２０から吐出される流動状態の防食剤Ｌが微量である場合、防食剤Ｌは自重によってはニードル１２０から離れ難い。このため、流動状態の防食剤Ｌは、その吐出量によっては、防食剤吐出用ニードル１２０から吐出されかつその先端部に留まって粒状となる（図１８の（１）参照）。
【０１２８】
この防食剤Ｌを供給対象部分の表面１１０に供給するため、上記防食剤Ｌの粒を、供給対象部分の表面１１０に接触させるように、防食剤吐出用ニードル１２０を供給対象部分の表面１１０に近づける（図１８の（２）参照）。
【０１２９】
この後、防食剤吐出用ニードル１２０を供給対象部分の表面１１０から遠ざける（図１８の（３）〜（７）参照）。この際、供給対象部分の表面１１０に接触した防食剤Ｌの粒は、防食剤吐出用ニードル１２０によって引き伸され、やがて、供給対象部分の表面１１０に残存する部分と、防食剤吐出用ニードル１２０の先端部に残存する部分とに分断される（図１８の（６）、（７）参照）。これにより、微量の防食剤Ｌでも、これを供給対象部分の表面により確実に供給することが可能となる。
【０１３０】
なお、上記各動作中において、防食剤吐出用ニードル１２０から追加の防食剤Ｌが吐出されてもよい。
【０１３１】
図１９及び図２０は、工程(b)において、部分Ｑ１、Ｑ３により均一な厚みの被膜を形成できるように、防食剤を点状に供給するための変形例である。
【０１３２】
すなわち、露出芯線部１４ａの先端側部分Ｑ３は、基本的には複数の素線が集合したものであり、略円形断面を呈するため、その幅方向中央で高く、その幅方向両外方向に向けて徐々に傾斜が大きくなる形状を示す。このため、露出芯線部１４ａの先端側部分Ｑ３の全体に対して均一な態様で点状に防食剤を供給すると、その幅方向両側で防食剤Ｌの膜厚が小さくなる恐れがある。露出芯線部１４ａの先端側部分Ｑ３の幅方向両側では、傾斜が大きく、これらの部分に供給された流動状態の防食剤Ｌが傾斜に従って、ずり落ちてしまうからである。
【０１３３】
そこで、次のようにすれば、露出芯線部１４ａの先端側部分Ｑ３に対して、より均一な厚みの被膜を形成できるように、防食剤を点状に供給することができる。
【０１３４】
すなわち、図１９に示すように、露出芯線部１４ａの先端側部分Ｑ３に対してその幅方向中央から偏る部分に対して防食剤Ｌを点状に供給する。
【０１３５】
この後、図２０に示すように、防食剤吐出用ニードル１２０を先端側部分Ｑ３の幅方向中央に向けて移動させる（矢符Ｂ参照）。なお、防食剤吐出用ニードル１２０は、先端側部分Ｑ３に接触しないように、上昇しつつ先端側部分Ｑ３の幅方向中央に向けて移動させることが好ましい。
【０１３６】
すると、防食剤Ｌの粒が、防食剤吐出用ニードル１２０によって先端側部分Ｑ３の中央に向けて引っ張られつつ引き伸され、やがて、先端側部分Ｑ３に残存する部分と防食剤吐出用ニードル１２０に残る部分とに分断される。このため、先端側部分Ｑ３上に供給された防食剤Ｌがその幅方向外方にずり落ちる難くなる。
【０１３７】
また、先端側部分Ｑ３に残存する防食剤Ｌは、図１９に示す供給点（先端側部分Ｑ３の幅方向中央から偏った位置にある）から先端側部分Ｑ３の幅方向中央に向けて細くなりつつ延びる分布する（図２０において２点鎖線で示す防食剤Ｌ参照）。このため、先端側部分Ｑ３に残存する防食剤Ｌが先端側部分Ｑ３の幅方向外側に僅かにずり落ちることを考慮しても、露出芯線部１４ａの先端側部分Ｑ３に対して、より均一な厚みの被膜を形成できる。
【０１３８】
なお、基端側部分Ｑ１に流動状態の防食剤を点状に供給する場合にも同様に供給することで、より均一な厚みの被膜を形成することができる。
【０１３９】
図２１及び図２２は、工程(b)において、部分Ｑ２に対して微量の防食剤をより広範囲に供給するための変形例である。
【０１４０】
すなわち、一対の芯線圧着片２４ｂ間には僅かな隙間が形成されるに過ぎないため、この部分には微量の防食剤をより長い部分に供給できるようにすることが好ましい。
【０１４１】
そこで、図２１に示すように、芯線圧着部２４の一対の芯線圧着片２４ｂ間の部分に防食剤Ｌを点状に供給し、その後、防食剤吐出用ニードル１２０を一対の芯線圧着片２４ｂ間に沿って移動させる（矢符Ｃ参照）。すると、防食剤Ｌの粒が、防食剤吐出用ニードル１２０によって一対の芯線圧着片２４ｂ間に沿って引っ張られつつ引き伸され、部分Ｑ２に残存する部分と防食剤吐出用ニードル１２０に残る部分とに分断される。
【０１４２】
すると、図２２に示すように、一対の芯線圧着片２４ｂ間の所定位置に防食剤Ｌが点状に供給され、その部分から防食剤吐出用ニードル１２０の移動方向に沿って順次細長くなりつつ延びるように、防食剤Ｌが供給されることになる。これにより、一対の芯線圧着片２４ｂ間に対して、微量の防食剤をより確実により長い部分に対して供給することができる。
【０１４３】
このように、各供給点において、防食剤Ｌを引き伸すように供給した上で、上記ヘラ５１で均し、さらに、押え型２１０によって押えることで、より好ましい厚み及び広がりの防食被膜４０を形成することが可能となる。
【０１４４】
＜工程(c)に関する変形例＞
図２３は、工程(c)に関する他の変形例を示す説明図である。上記実施形態では、工程(c)において、ヘラ５１が端子付電線１０の延びる方向に対して垂直に起立した状態で移動させている。しかしながら、図２３に示すように、ヘラ５１を傾けた状態で移動させてもよい。
【０１４５】
より詳細には、図２３に示されるように、ヘラ５１の移動方向前方を向く前面５１Ｓが、端子２０側からヘラ５１側に向かって、移動方向後方（すなわち、端子２０の先端側）へ傾斜している。この姿勢を維持させつつ、ヘラ５１を、端子付電線１０に沿って移動させる。これによって、余剰分の防食剤Ｌをヘラ５１上に乗り上げさせて、回収できる。したがって、硬化後の防食被膜４０の膜厚が、既定の許容上限値を超えることをより効果的に抑制できる。
【０１４６】
図２４は、変形例に係るヘラ５１Ａに係る概略斜視図である。ヘラ５１Ａは、直方体に、断面視Ｖ字状の溝５３を形成した形状を有している。より詳細には、工程(c)において、ヘラ５１Ａが移動する移動方向（矢符６５で示す）を向く前面５１ＡＳが、その中央部に向かって均一に凹むことで、Ｖ字状の溝５３が形成されている。
【０１４７】
図７に示す工程(c)において、ヘラ５１の代わりに、ヘラ５１Ａを用いることによって、余剰の防食剤Ｌを、Ｖ字状の溝５３の底（すなわち、前面５１ＡＳの中央部）に寄せることができる。したがって、防食剤Ｌが、幅方向外側に必要以上に広がることを抑制することができる。
【０１４８】
なお、図７に示すように、ヘラ５１Ａが上昇移動する端子付電線１０の基端側部分Ｑ１では、Ｖ字状の溝５３における底部（幅方向中央部）が凹んでいるために、この部分と端子付電線１０の隙間が、その他の部分と端子付電線１０の隙間よりも大きくなってしまう。このため、基端側部分Ｑ１において、余剰分の防食剤Ｌが、Ｖ字状の溝５３の底部（ヘラ５１Ａの幅方向中央部）に溜まりやすくなっている。この防食剤Ｌの溜まりは、Ｖ字状の溝５３の底面の開き角度αや防食剤Ｌの粘度等に依存する。このため、開き角度αは、好ましくは、防食剤Ｌの余剰量、及び、防食剤Ｌの粘度に応じて適正に設定される。
【０１４９】
図２３に示すヘラ５１と同様に、ヘラ５１Ａを傾けて移動させることも有効である。図２５は、端子付電線１０の製造工程に関するさらに他の変形例を示す説明図である。なお、図２５は、端子２０の上面と、傾斜された姿勢のヘラ５１Ａの下端側の一部分を、ヘラ５１Ａの移動方向の前側から見たときを示す正面図である。図２５に示すように、傾けられたヘラ５１Ａの下端部分５５は、端子２０の幅方向に沿って直線状に延びている。この下端部分５５は、ヘラ５１Ａにおける移動方向とは反対側を向く後面の下端部、もしくは、ヘラ５１Ａの下面における移動方向とは反対側の縁部となっている。
【０１５０】
ヘラ５１Ａを傾けて移動させた場合においても、ヘラ５１Ａが上方へ移動する端子付電線１０の基端側部分Ｑ１において、余剰分の防食剤Ｌが、Ｖ字状の溝５３の底部に対応する幅方向の部分に集められる虞がある。防食剤Ｌの粘度が高い場合には、防食剤Ｌが盛り上がってしまう。しかしながら、ヘラ５１Ａの場合、端子２０の幅方向に沿って直線上に延びる下端部分５５によって、盛り上がった防食剤Ｌを均すことができる。このため、防食剤Ｌを好適に塗り広げることができる。
【０１５１】
＜工程(d)及び工程(e)に関する変形例＞
図２６に示す変形例では、押え型２１０に対応する押え型１２１０が流動状態の防食剤Ｌを押えた状態で、押え面２１２に対応する押え面１２１２と防食対象領域４０Ａの表面との間隔が、端子２０の側方からみて、端子２０の延在方向において不均一となるように設定されている。
【０１５２】
より具体的には、防食対象領域４０Ａのうち被覆圧着部２６と芯線圧着部２４の前側（コンタクト部３０側）では、押え面１２１２と防食対象領域４０Ａとの間隔寸法が寸法Ｄ１となるように設定されている。また、中間連結部２５における露出芯線部１４ａの基端側部分Ｑ１（若しくは中間連結部２５の一対の側壁部２５ｂ）との間隔が、上記寸法Ｄ１よりも大きい寸法（例えば、Ｄ２）となるように設定されている。
【０１５３】
ここでは、押え面１２１２のうち中間押え面１２１５（中間押え面２１５に対応する）が、中間押え面２１５よりも前側（コンタクト部３０側）に近い位置に設けられていることで、中間連結部２５における露出芯線部１４ａの基端側部分Ｑ１（若しくは中間連結部２５の一対の側壁部２５ｂ）との間隔が、上記寸法Ｄ１よりも大きい寸法（例えば、寸法Ｄ２）となるように設定されている。
【０１５４】
この変形例は、圧着形状のバラツキ及び被覆位置の少なくとも一方のばらつきが生じた場合に、効果を発揮する。
【０１５５】
すなわち、端子２０を電線１２に圧着する際には、端子２０及び電線１２の少なくとも一方の位置がばらつく恐れがある。これらの位置のばらつきが生じた状態のままで、端子２０が電線１２に圧着されてしまうと、それは、圧着形状のばらつき及び中間連結部２５における被覆１８の端部位置のばらつきとして表れる。
【０１５６】
圧着形状のばらつき及び被覆１８の端部位置のばらつきの少なくとも一方が生じると、押え面１２１２の下方における端子付電線１０Ｂの接続部分の占有体積がばらついてしまう。
【０１５７】
理想的な接続状態の接続部分を想定した場合と比較して、圧着形状が突出しており、又は、被覆１８の端部の位置が芯線圧着部２４側に位置していると、押え面１２１２の下方における端子付電線１０Ｂの接続部分の占有体積は大きくなってしまう。そうすると、理想的な接続状態の接続部分を想定した量の防食剤Ｌを供給すると、その防食剤Ｌは、接続部分と押え面１２１２との間に収りきらず、余剰分が発生し、その余剰分は、側方にはみ出してしまう恐れがある。
【０１５８】
そこで、押え型１２１０が流動状態の防食剤Ｌを押えた状態で、押え面１２１２と防食対象領域４０Ａの表面との間隔が、端子２０の延在方向において不均一となるように設定されていると、防食剤Ｌの余剰分を、押え面１２１２と防食対象領域４０Ａの表面との間であってそれらの間隔が比較的大きい部分に逃すことができる。また、防食剤Ｌの余剰分は、押え面１２１２に対する濡れ性に応じて当該押え面１２１２に沿って流動することも、上記余剰分を、押え面１２１２と防食対象領域４０Ａの表面との間であってそれらの間隔が比較的大きい空間に逃すことに貢献する。
【０１５９】
ここで、接続部分の防食対象領域４０Ａに形成された防食被膜４０がコネクタハウジングのキャビティと干渉しないための上限の状態を想定する。この上限を規定するのが上記押え面１２１２である。また、理想的な形状の接続部分に理想的な量の防食剤Ｌが供給された状態を想定する。押え面１２１２と防食対象領域４０Ａとの間において、前者の状態における防食剤Ｌの体積から後者の状態における防食剤Ｌの体積を引いた値が、圧着形状のばらつき及び被覆１８の端部位置のばらつきに起因する体積変動に対応し得る範囲であると把握することができる。
【０１６０】
このように、防食剤Ｌの余剰分が、端子２０の側方にはみ出ることを抑制できることになる。
【０１６１】
押え面１２１２と防食対象領域４０Ａの表面との間であってそれらの間隔が比較的大きい部分は、コネクタのキャビティに干渉し難い場所に設けられていることが好ましい。そこで、本変形例では、中間連結部２５と、芯線圧着部２４のうち中間連結部２５側の部分で、押え面１２１２と防食対象領域４０Ａの表面との間隔を、その前後部分よりも大きくしている。
【０１６２】
もっとも、逆に、理想的な接続状態の接続部分を想定した場合と比較して、圧着形状の突出量が少なく、又は、被覆１８の端部の位置が被覆１８側に位置していると、押え面１２１２の下方における端子付電線１０Ｂの接続部分の占有体積は小さくなってしまう。そうすると、理想的な接続状態の接続部分を想定した量の防食剤Ｌを供給すると、その防食剤Ｌは、押え面１２１２と防食対象領域４０Ａの表面との間を充填できず、また、防食剤Ｌが中間押え面１２１５に対する濡れ性に応じて当該中間押え面１２１５に沿って流動することを考慮しても、当該防食剤Ｌが中間押え面１２１５に沿って上に移動でき無い可能性がある。
【０１６３】
また、上記のような場合、図２７に示すように、防食剤Ｌによる防食被膜１２４０のうち中間押え面１２１５の上側に対応する部分に、滴形状の上端部を斜めに切り落したような凹状欠部１２４２が生じてしまう可能性がある。凹状欠部１２４２の開口周縁部１２４２ａは、比較的尖った形状として表れることがある。このため、端子付電線１０の取扱中に、他の部分が凹状欠部１２４２の開口周縁部１２４２ａに引っ掛かってしまう恐れがある。
【０１６４】
そこで、図２８〜図３０に示す変形例では、押え型１２１０に対応する押え型２２１０に対して、押え面１２１２に対応する押え面２２１２に、凸部２２１６が形成されている。
【０１６５】
凸部２２１６は、押え面２２１２と防食対象領域４０Ａの表面との間隔が端子２０の延在方向においてその周囲よりも大きくなる部分の幅方向中央の部分、即ち、中間押え面１２１５に対応する中間押え面２２１５の幅方向中央の部分に形成されている。凸部２２１６は、中間押え面２２１５の上側部分に形成されているため、端子２０の延在方向において部分的に突出している。
【０１６６】
また、凸部２２１６は、外方に向けて凸となるように湾曲する形状に形成されている。ここでは、凸部２２１６は、楕円体を半分に切除したような形状に形成されている。
【０１６７】
この変形例によると、流動状態の防食剤Ｌを凸部２２１６に接触させることによって、防食剤Ｌを端子２０の幅方向中央に寄せることができ、防食剤Ｌの側方へのはみ出しを抑制することができる。
【０１６８】
すなわち、凸部２２１６を形成しない場合において、図３１に示すように、押え面１２１２の下方における端子付電線１０Ｂの接続部分の占有体積が小さいと、図３２に示すように、中間押え面１２１５を防食対象領域４０Ａ上の防食剤Ｌに向けて下降させても、防食剤Ｌに達することができない可能性がある。
【０１６９】
これに対して、中間押え面２２１５に凸部２２１６を形成しておくと、押え型２２１０を同程度下降させた場合でも、図３３に示すように、凸部２２１６の先端部は防食剤Ｌに接触することができる。防食剤Ｌが凸部２２１６に接触すると、その表面の濡れ性に応じて、防食剤Ｌが凸部２２１６表面を伝わり、中間押え面２２１５側に伝わる。これにより、防食剤Ｌが中間押え面２２１５の幅方向中央に寄せられる。これに伴って、凸部２２１６に対して端子２０の延在方向両側でも、防食剤Ｌが端子２０の幅方向中央部に寄せられる。これにより、防食剤Ｌの余剰量が少ない場合又はほとんど無い場合でも、押え面２２１２と防食対象領域４０Ａの表面との間隔が比較的大きい部分に、防食剤Ｌを寄せることができ、防食剤Ｌの側方へのはみ出しをより有効に抑制できる。
【０１７０】
また、凸部２２１６は、上記のように、外方に向けて凸となるように湾曲する形状に形成されているため、図３４に示すように、防食剤Ｌによる防食被膜２０４０に、凸部の表面形状が転写された凹状欠部２０４２が形成されても、その周縁部形状を比較的滑らかな形状に形成することができる。これにより、防食被膜２０４０に対する他の部材の引っ掛かり等が有効に抑制される。
【０１７１】
なお、凸部２２１６は、押え面２２１２の幅方向中央部に設けられているため、端子２０の両側方から光を照射させて防食剤Ｌを硬化させる際の障害とはならない。
【０１７２】
図３５及び図３６に示す変形例では、押え型２１０に対応する押え型３２１０は、防食対象領域４０Ａの両側方で流動状態の防食剤Ｌを押え込み可能な一対の側方押え面３２１８を含む。
【０１７３】
すなわち、押え型３２１０のうち押え面２１２に対応する押え面３２１２の両側部に下方に突出する一対の押え用突部３２１７が形成され、そのうち向き面が側方押え面３２１８とされている。側方押え面３２１８の間隔寸法は、端子２０のうち押える対象となる各部分の幅寸法と同一であるか、端子２０と干渉しない範囲で、端子２０のうち押える対象となる各部分の幅寸法よりも小さく設定されている。
【０１７４】
この側方押え面３２１８によって、流動状態の防食剤Ｌが端子２０の側方に大きくはみ出すことを抑制できる。なお、防食剤Ｌの量、広がり方によっては、側方押え面３２１８は、防食剤Ｌを側方から押えることも、押えないこともあり得る。
【０１７５】
なお、このように、側方押え面３２１８を設けると、端子２０の側方から硬化用の光を防食剤Ｌに照射させることが困難となる。
【０１７６】
そこで、図３７に示すように、押え型３２１０に対応する押え型３２１０Ｂが、硬化用の光を透過可能な光透過部分を含む構成とすればよい。本例では、押え型３２１０Ｂの全体が、光透過可能とされている。かかる押え型３２１０Ｂは、ガラス又は透明な樹脂によって形成するとよい。
【０１７７】
この例によると、押え型３２１０によって防食剤Ｌを押えた状態で、押え型３２１０Ｂの両側方及び上方の少なくとも一方から、光照射部３１１０の光を照射し、その光を押え型３２１０の光透過部分を透過させて、防食剤Ｌに光を照射して、当該防食剤Ｌを硬化させることができる。
【０１７８】
また、図３８に示す例では、防食剤Ｌとして、熱硬化可能な性質のものを用いることを前提として、押え型３２１０に発熱体３２１４を取付けている。そして、押え型３２１０によって防食剤Ｌを押えた状態で、発熱体３２１４を発熱させ、その熱により押え型３２１０を加熱し、もって、防食剤Ｌを加熱して硬化させるようにしている。
【０１７９】
なお、防食剤Ｌを加熱する構成は上記例に限られず、例えば、端子セット部２２０側を加熱し、端子２０を介して防食剤Ｌを加熱するようにしてもよい。
【０１８０】
なお、図３７のように、押え型の少なくとも一部を光透過部分とし、当該光透過部分を介して防食剤に光を照射する工程、及び、図３８のように、防食剤Ｌとして、熱硬化可能な性質のものを用い、防食剤Ｌを加熱することで、防食剤Ｌを硬化させる工程は、一対の側方押え面３２１８の有無に拘らず適用可能である。
【０１８１】
また、防食剤Ｌとして、光硬化可能で、かつ、熱硬化可能な性質のものを用いた場合には、上記両工程を併用することも可能である。
【０１８２】
なお、上記実施形態及び各変形例で説明した各構成は、相互に矛盾しない限り適宜組合わせることができる。
【０１８３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１８４】
１０，１０Ｂ  端子付電線
１２  電線
１４  芯線
１４ａ  露出芯線部
１８  被覆
２０  端子
２２  電線保持部
２４  芯線圧着部
２６  被覆圧着部
３０  コンタクト部
４０，１２４０，２０４０  防食被膜
４０Ａ  防食対象領域
５１，５１Ａ  ヘラ
２００  防食剤押え装置
２００，２１０，１２１０，２２１０，３２１０，３２１０Ｂ  押え型
２１２，１２１２，２２１２，３２１２  押え面
３００，３１０，３２０，３１１０  光照射部
【図１】
2015153722.tif 000003
【図２】
2015153722.tif 000004
【図３】
2015153722.tif 000005
【図４】
2015153722.tif 000006
【図５】
2015153722.tif 000007
【図６】
2015153722.tif 000008
【図７】
2015153722.tif 000009
【図８】
2015153722.tif 000010
【図９】
2015153722.tif 000011
【図１０】
2015153722.tif 000012
【図１１】
2015153722.tif 000013
【図１２】
2015153722.tif 000014
【図１３】
2015153722.tif 000015
【図１４】
2015153722.tif 000016
【図１５】
2015153722.tif 000017
【図１６】
2015153722.tif 000018
【図１７】
2015153722.tif 000019
【図１８】
2015153722.tif 000020
【図１９】
2015153722.tif 000021
【図２０】
2015153722.tif 000022
【図２１】
2015153722.tif 000023
【図２２】
2015153722.tif 000024
【図２３】
2015153722.tif 000025
【図２４】
2015153722.tif 000026
【図２５】
2015153722.tif 000027
【図２６】
2015153722.tif 000028
【図２７】
2015153722.tif 000029
【図２８】
2015153722.tif 000030
【図２９】
2015153722.tif 000031
【図３０】
2015153722.tif 000032
【図３１】
2015153722.tif 000033
【図３２】
2015153722.tif 000034
【図３３】
2015153722.tif 000035
【図３４】
2015153722.tif 000036
【図３５】
2015153722.tif 000037
【図３６】
2015153722.tif 000038
【図３７】
2015153722.tif 000039
【図３８】
2015153722.tif 000040